(57)【特許請求の範囲】
【請求項１】
外部記憶媒体と無線通信を行う携帯端末であって、
前記外部記憶媒体と無線通信を行う通信部と、
前記外部記憶媒体と無線通信が可能か否かを検出する検出部と、
無線通信により、前記外部記憶媒体に予め記憶されている端末を識別する識別情報を含む携帯端末の設定情報を取得する情報取得部と、
前記情報取得部が、前記外部記憶媒体から取得した設定情報に含まれる識別情報から、所定の基準に基づいて、前記取得した識別情報と異なる識別情報を生成する識別情報生成部と、
前記取得された設定情報と前記識別情報生成部にて生成された識別情報とを記憶する第１記憶部と、
前記第１記憶部に記憶された前記識別情報生成部にて生成された識別情報と設定情報を、前記外部記憶媒体に送信する設定送信部とを備えたことを特徴とする携帯端末。
【請求項２】
前記端末を識別する識別情報は、前記携帯端末のＩＰアドレスであることを特徴とする請求項１記載の携帯端末。
【請求項３】
前記第１記憶部に記憶されたＩＰアドレスと、前記携帯端末の端末番号とを対応づけた端末情報を、前記外部記憶媒体に送信することを特徴とする請求項２記載の携帯端末。
【請求項４】
前記外部記憶媒体に、設定を行う携帯端末の端末番号を含む端末情報が記憶されている場合、
前記情報取得部は、前記外部記憶媒体から、前記外部記憶媒体に記憶されている端末情報を取得して、
前記取得した端末情報に含まれる識別情報を、前記第１記憶部の設定情報の１つとして、記憶することを特徴とする請求項３記載の携帯端末。
【請求項５】
前記外部記憶媒体は、前記携帯端末に記憶されるべき設定情報を予め記憶した第２記憶部と、前記携帯端末と無線通信を行う通信部と、
前記携帯端末からの要求により、前記第２記憶部に記憶されていたその携帯端末の設定情報を送信する制御部を備えたＩＣカードであることを特徴とする請求項１ないし４のいずれかに記載の携帯端末。
【発明の詳細な説明】
【技術分野】
【０００１】
この発明は、携帯端末に関し、特に、固有の設定情報を予め設定することにより動作する携帯端末に関する。
【背景技術】
【０００２】
従来から、種々の産業分野で、所望の情報を取得し、あるいは、情報の入力や出力を行うことにより、利用者の業務を遂行することのできる携帯端末が利用されている。
従来の携帯端末には、有線又は無線を用いた通信機能を有するものがあり、他の端末やサーバとの間で通信をするためには、その携帯端末１台ごとに、端末固有の情報、利用者を特定する情報、パスワード、ＩＰアドレスなどのネットワーク情報、および暗号鍵などを含む設定情報を予め設定入力する必要があった。
【０００３】
また、従来の携帯端末において、キーボードなどの入力キーを備えている場合には、利用者が、キーボードを利用してこれらの設定情報を入力していた。
また、キーボードがなく、数個のスイッチボタンと表示部とを備えた端末では、表示部にメニューを表示させ、表示されたメニューに従って、所定のボタンを押し下げることにより、利用者が設定情報を入力していた。
さらに、表示部と入力部とが一体化されたタッチパネルを備えた端末においても、表示部にメニューやキーボード等を表示させて、利用者が設定情報を入力していた。
【０００４】
また、端末等のユーザ設定情報を外部記憶媒体に予め記憶させておき、操作パネルのインタフェース部にその外部記憶媒体を接続させて、記憶されたユーザ設定情報を外部記憶媒体から読み取ることにより、読み取ったユーザ設定情報を設定情報として、操作パネルに記憶するものが提案されている（特許文献１参照）。
【先行技術文献】
【特許文献】
【０００５】
【特許文献１】特開２０１１−１０８１０４号公報
【発明の概要】
【発明が解決しようとする課題】
【０００６】
しかし、キーボードのない端末や、キーボードを用いて入力する端末では、利用者自らが、設定情報を入力するので、入力項目が多数の場合は入力に時間がかかるという問題があった。
また、入力する内容が複雑な場合や、長い数字列のような場合には、入力ミスが生じやすく、入力ミスがあった場合は、ネットワークへの接続ができなくなったり、あるいは動作不能になるというような重大な障害が発生する場合もあった。
【０００７】
さらに、外部記憶媒体にユーザ設定情報を予め記憶しておくものでは、入力ミスを防止し、設定値を容易に変更できるが、その記憶媒体を操作パネルに物理的に接続する必要がある。
ユーザ設定情報を記憶しておく媒体には、たとえば、ＣＤ、ＤＶＤのようなディスク媒体や、ＵＳＢメモリのようなＵＳＢ接続機器、半導体メモリを搭載したカード型媒体など種々のものがあるので、これらの種々の記憶媒体のいずれをも接続できるようにするためには、端末側に、各記憶媒体をそれぞれ接続することのできるコネクタや読取装置を備える必要があり、端末の大型化やコストアップとなる。また、接続コネクタが備えられていない記憶媒体に設定情報が記憶されている場合は、その記憶媒体を端末に接続することができないので、設定情報を端末に設定することができない。
特に、利用者が利用する端末が携帯性を有する小型の端末である場合には、あらゆる形状の接続コネクタを備えることは困難であり、複数のコネクタを備えた場合には、端末が重く、大きくなることにより携帯性が損なわれるという問題があった。
【０００８】
この発明は、以上のような事情を考慮してなされたものであり、端末の設定情報を端末に設定する場合の設定操作の容易化および時間短縮による設定作業の効率化と、設定入力ミスの防止を図ることを課題とする。
【課題を解決するための手段】
【０００９】
この発明は、外部記憶媒体と無線通信を行う携帯端末であって、前記外部記憶媒体と無線通信を行う通信部と、前記外部記憶媒体と無線通信が可能か否かを検出する検出部と、無線通信により、前記外部記憶媒体に予め記憶されている端末を識別する識別情報を含む携帯端末の設定情報を取得する情報取得部と、前記情報取得部が、前記外部記憶媒体から取得した設定情報に含まれる識別情報から、所定の基準に基づいて、前記取得した識別情報と異なる識別情報を生成する識別情報生成部と、前記取得された設定情報と前記識別情報生成部にて生成された識別情報とを記憶する第１記憶部と、前記第１記憶部に記憶された前記識別情報生成部にて生成された識別情報と設定情報を、前記外部記憶媒体に送信する設定送信部とを備えたことを特徴とする携帯端末を提供するものである。
【００１０】
これによれば、無線通信により、外部記憶媒体に予め記憶されている設定情報を取得するので、携帯端末における設定作業の容易化と時間短縮による効率化と、設定情報の入力ミスを防止することにより動作不能となるような障害を防止することができ、他の携帯端末の識別情報と一致する識別情報が携帯端末に記憶されることを防止できる。
また、第１記憶部に記憶された識別情報と設定情報とを外部記憶媒体に送信するので、携帯端末の設定情報を設定する場合に、外部記憶媒体に送信されて記憶されている設定情報を再利用することができる。
【００１１】
また、前記端末を識別する識別情報は、前記携帯端末のＩＰアドレスであることを特徴とする。
【００１２】
これにより、外部記憶媒体に予め記憶されたＩＰアドレスを無線通信によって取得して携帯端末に記憶するので、携帯端末で利用者がＩＰアドレスの入力操作をする必要はなく、その入力ミスを防止でき、よって入力ミスによるネットワークへの接続障害を未然に防止できる。
また、携帯端末に記憶されたＩＰアドレスを外部記憶媒体に送信し、その外部記憶媒体に端末番号とともに記憶しておくことにより、その後に前記携帯端末の設定情報の変更を行う場合に、外部記憶媒体に送信されたＩＰアドレスを再度利用することができ、一度記憶されたことのあるＩＰアドレスを再度利用することにより、複数の携帯端末に同一のＩＰアドレスが設定されること、すなわちＩＰアドレスの重複設定を防止できる。
【００１３】
また、前記第１記憶部に記憶されたＩＰアドレスと、前記携帯端末の端末番号とを対応づけた端末情報を、前記外部記憶媒体に送信することを特徴とする。
さらに、前記外部記憶媒体に、設定を行う携帯端末の端末番号を含む端末情報が記憶されている場合、前記情報取得部は、前記外部記憶媒体から、前記外部記憶媒体に記憶されている端末情報を取得して、前記取得した端末情報に含まれる識別情報を、前記第１記憶部の設定情報の１つとして、記憶することを特徴とする。
これにより、外部記憶媒体に送信された端末情報を再利用することができる。
【００１４】
また、前記外部記憶媒体は、前記携帯端末に記憶されるべき設定情報を予め記憶した第２記憶部と、前記携帯端末と無線通信を行う通信部と、前記携帯端末からの要求により、前記第２記憶部に記憶されていたその携帯端末の設定情報を送信する制御部を備えたＩＣカードであることを特徴とする。
【発明の効果】
【００１５】
この発明によれば、無線通信により、外部記憶媒体に予め記憶されている設定情報を取得するので、携帯端末の利用者は、自ら設定情報を直接入力する必要はなく、設定情報の入力ミスを防止でき、設定作業の容易化と時間短縮ができ、したがって、入力ミスにより動作不能となるような障害を防止できる。
【図面の簡単な説明】
【００１６】
【図１】この発明の携帯端末の一実施例の構成ブロック図である。
【図２】この発明の設定情報の一実施例の説明図である。
【図３】この発明の端末情報の一実施例の説明図である。
【図４】この発明のＩＣカードに設定されている情報の一実施例の説明図である。
【図５】この発明における端末の設定情報を設定する操作の一実施例の説明図である。
【図６】この発明において、端末の設定情報の設定処理のフローチャートである。
【発明を実施するための形態】
【００１７】
以下に、本発明を実施するための最良の形態について図面を参照して説明する。なお、これによって、この発明が限定されるものではない。
＜この発明の携帯端末の構成＞
図１に、この発明の携帯端末の一実施例の構成ブロック図を示す。
この発明は、主として、無線通信機能を有する携帯端末１（以下、端末、またはＴＥとも呼ぶ）と、端末１に記憶すべき端末の設定情報を予め記憶した外部記憶媒体２（以下、ＩＣカードまたはＣＡとも呼ぶ）とからなり、端末１が、無線通信により、ＩＣカード２に記憶された設定情報を取得して、端末１に内蔵されたメモリに記憶することを特徴とする。
【００１８】
携帯端末（ＴＥ）１は、従来の携帯電話やスマートフォンなどと同様の大きさで、利用者の持ち運びが容易な情報処理装置であり、たとえば、業務用の設備機器などを動作させるための装置、或いは、業務用のＰＯＳ端末にデータを送受信するための装置である。
端末ＴＥ１は、以下の実施例では、重さと大きさの点で携帯性を有することを前提に説明するが、携帯性を有さない端末（たとえば、固定的に設置されるパソコン）でも、この発明の設定情報の設定方法を利用することができる。
端末ＴＥ１は、主として、制御部１１、表示部１２、入力部１３、通信部１４、記憶部１５とを備えている。
【００１９】
制御部１１は、端末ＴＥ１の全体的な動作を制御する部分であり、たとえば、ＣＰＵ、ＲＯＭ、ＲＡＭ、Ｉ／Ｏコントローラ、タイマー等からなるマイクロコンピュータによって実現される。
ＣＰＵは、記憶部１５に格納されたプログラムに基づいて、各種ハードウェアを有機的に動作させることにより、この発明の端末の種々の機能を実行する。
表示部１２は、設定情報などを表示する部分であり、たとえば、ＬＣＤや有機ＥＬ表示装置などを用いることができる。
入力部１３は、端末ＴＥ１に対する指示などを入力する部分であり、たとえば、キーボードや押下ボタンを用いることができる。また、表示部１２と入力部１３とを重ねて一体化したタッチパネルを用いてもよい。
【００２０】
通信部１４は、端末ＴＥ１以外の装置と無線通信を行う部分であり、たとえば、通信用ＩＣ、アンテナなどから構成される。
特に、この発明の通信部は、外部記憶媒体であるＩＣカード２との無線通信を行う機能を有し、このＩＣカード２に対してデータの読み出しと書き込みが可能な通信機能を有するものとする。
ここで、ＩＣカードとの無線通信の形態は、従来から用いられているものであればいずれの形態を用いてもよく、たとえば、ＮＦＣ（Near Field Communication）からなる短距離無線通信が用いられる。
【００２１】
外部記憶媒体２は、カード形状の記憶媒体であるＩＣカードを用いることができるが、これに限られるものではなく、端末ＴＥ１と通信する無線通信機能とデータ記憶機能とを有し、小型軽量の携帯性を有する記憶媒体であればよい。
たとえば、外部記憶媒体２としては、ＩＣカードの他に、ＲＦＩＤを用いてもよい。
また、ＩＣカード２と端末ＴＥ１との無線通信は、両者が非接触の状態で行われるが、ＩＣカードを単に所持している状態で無線通信が成立するのではなく、利用者の意思によって行わせることが好ましいと考えられるので、利用者がＩＣカード２を、端末ＴＥ１に対して所定距離内に接近させたときや、ＩＣカード２を端末ＴＥ１に接触させる操作（タッチ操作）をした場合に、ＩＣカードと端末間でデータの送受信が成立するようにする。
【００２２】
以下の実施例では、ＩＣカードを、端末から１０ｃｍ程度の距離までに接近させたときにデータの送受信が成立し、両者がそれ以上の距離だけ離れている場合にはデータの送受信ができないようにするために、無線通信の形態としては、ＮＦＣを用いるものとする。
【００２３】
このように、端末ＴＥ１とＩＣカード２との距離が一定距離以内となったときに、無線通信が成立するようにした場合、いわゆる非接触でＩＣカード２内に予め記録されている設定情報が端末ＴＥ１に取り込まれるので、設定情報の設定をするために、利用者はＩＣカードを端末に接近させるだけでよく、ＩＣカードを端末に直接接続する場合に比べて、利用者の設定操作を容易化できる。
また、設定情報の通信にかかる時間は、一般的に数秒程度で終了するので、利用者が手動で設定値を入力する場合に比べて、設定にかかる時間を大幅に短縮できる。
さらに、端末ＴＥにおいて、利用者は自ら設定情報の設定値を入力することがないので、設定情報の入力ミスを防止でき、誤入力によるネットワークへの接続不良など、端末ＴＥ１が動作不能となるのを防止できる。
【００２４】
記憶部１５は、端末ＴＥ１の動作に必要な情報を記憶する部分であり、上記した第１記憶部に相当し、ＲＯＭ、ＲＡＭ、フラッシュメモリなどの半導体メモリや、ハードディスク等を用いることができる。
この発明では、特に、設定情報１１１、許可フラグ１１２、端末番号（ＵＵＩＤ）１１３が、記憶部１５に記憶される。
また、プログラムや端末番号（ＵＵＩＤ）１１３などの書きかえることのない情報はＲＯＭに記憶され、端末の設定情報１１１、許可フラグ１１２などの書きかえる必要があるが電源を切断しても消去されることのないように記憶しておくべき情報は、フラッシュメモリやハードディスクなどの不揮発性のメモリに記憶される。
【００２５】
設定情報１１１は、端末ＴＥ１の動作に必要な情報であり、ＩＣカード２に予め記憶されていた端末ＴＥ１に関する設定情報２０１を、ＩＣカード２から取得したものである。
図２に、設定情報１１１に含まれるデータ内容の具体例の説明図を示す。
図２には、設定情報１１１として、１６個の設定項目と、その設定項目の具体的な設定値の一例を示している。
ここで、たとえば、ＩＰアドレスは、ＩＣカード２との無線通信において、端末ＴＥ１を識別するための識別情報である。
【００２６】
許可フラグ１１２は、情報取得部１０２によって取得された設定情報を端末ＴＥ１の記憶部１５に記憶することあるいは変更することを許可するか否かを判断するフラグである。
たとえば、許可フラグ１１２として、ゼロが設定されている場合、設定変更の「無効」を意味するものとする。したがって、「許可フラグ＝０」であれば、ＩＣカード２が端末１に接近させられ設定情報が受信できる状態になったとしても、受信した設定情報は、記憶部１５に記憶しない。
【００２７】
また、許可フラグ１１２として、ゼロ以外が設定されている場合、設定変更の「有効」を意味するものとする。許可フラグが有効を示す状態の場合にのみ、取得された設定情報を記憶部１５に記憶する。したがって、「許可フラグ≠０」であれば、ＩＣカード２が端末１に接近させられて設定情報が受信できる状態になった場合、受信した設定情報を、記憶部１５に記憶させる。
このような許可フラグ１１２を設けることにより、利用者の不注意や悪意によって設定情報が変更されることがないようにすることができる。
この許可フラグ１１２の「有効」、「無効」の切替設定は、たとえば、入力部１３のいずれかの設定キーを押下げることにより行えばよい。
【００２８】
また、許可フラグ１１２の設定値として、「有効」と「無効」だけでなく、他の状態を意味する数値を設けてもよい。
ここで、設定値によって、設定情報の中で変更ができる項目を限定できるようにしてもよい。
たとえば、次のように許可フラグの数値を定義してもよい。
許可フラグ＝０：すべての設定項目の変更は無効（禁止）とする。
許可フラグ＝１：無線ＬＡＮ接続関係の設定項目のみ変更を許可する。
許可フラグ＝２：使用機器関係の設定項目のみ変更を許可する。
許可フラグ＝７：すべての設定項目の変更を許可する。
【００２９】
端末番号（ＵＵＩＤ）１１３は、端末ＴＥ１を識別する固有の番号であり、ＭＡＣアドレス等によって決定され、記憶部１５に書きかえられることがないように予め記憶される。
無線通信を行う場合は、この端末番号（ＵＵＩＤ）と、ＩＰアドレスとによって、通信する相手の端末ＴＥが区別される。
【００３０】
この発明では、端末ＴＥ１の制御部１１は、主として、図１に示すような３つの機能ブロック（１０１，１０２，１０３）を備える。
カード検出部１０１は、端末ＴＥ１から所定の距離以内に、ＩＣカード２が接近してきたことを検出する部分である。これは、上記した外部記憶媒体と無線通信が可能か否かを検出する検出部に相当する。
利用者がＩＣカード２を端末１に接近させ、ＩＣカードと端末との距離が所定の距離よりも短くなった場合、所定の無線通信が成立することにより、ＩＣカード２が検出されたと判断する。
【００３１】
所定の無線通信は、たとえば、端末ＴＥ１から所定の検出確認信号を意味する電波を一定時間ごとに送出しておき、ＩＣカード２がその電波を正常に受信した場合に、端末ＴＥ１がＩＣカードから送信される応答信号を受信することにより成立する。
あるいは、端末から送出した電波をＩＣカード側で反射し、その電波を受信することにより、端末ＴＥ１が、ＩＣカードの存在を検出するようにしてもよい。
無線通信によれば、タッチ操作をすることにより、ＩＣカード２から設定情報が読み出されて、端末ＴＥの記憶部１５に記憶される。
【００３２】
情報取得部１０２は、無線通信により、外部記憶媒体に予め記憶されている携帯端末の設定情報を取得する部分である。この設定情報には、端末を識別する識別情報が含まれる。
たとえばＩＣカード２が検出された後に、無線通信により、ＩＣカードから読み出された設定情報を受信して、自己の端末ＴＥに対する設定情報であれば、記憶部１５に記憶させる部分である。
また、後述するように、自己の端末番号（ＵＵＩＤ）に対応するＩＰアドレスが、端末情報としてすでにＩＣカードの中に登録されている場合は、その登録されているＩＰアドレスを取得して、記憶部１５に記憶させる。
【００３３】
設定送信部１０３は、記憶部１５に記憶された端末番号と設定情報とを、外部記憶媒体に送信する部分である。たとえば、端末の記憶部１５に記憶した端末のＩＰアドレスと、自己の端末番号（ＵＵＩＤ）とを対応づけた端末情報を、ＩＣカード２に送信する部分である。ＩＣカード２は、送信されてきたＵＵＩＤとＩＰアドレスとを対にして、端末情報（ＴＥ情報）２０２として登録する。
この登録されたＴＥ情報２０２は、次回の設定情報の変更や再設定を行うときに利用される。
また、設定送信部１０３によるＵＵＩＤとＩＰアドレスのＩＣカードへの送信は、端末内でＩＰアドレス（識別情報）が新たに生成され、この新たに生成したＩＰアドレスが規格で定められた所定の範囲内の数値である場合にのみ行われる。
すなわち、情報取得部が外部記憶媒体（ＩＣカード）から取得した設定情報に含まれる識別情報から、所定の基準に基づいて、上記取得した識別情報と異なる識別情報が生成される。この機能は、上記した識別情報生成部に相当する。
【００３４】
新たに生成されるＩＰアドレスは、たとえば、外部記憶媒体のＩＣカード２から取得した設定情報に含まれるＩＰアドレスから、所定の基準に基づいて生成され、上記取得したＩＰアドレスとは異なるＩＰアドレスが生成される。この生成されたＩＰアドレスは、記憶部１５に、設定情報１１１の１つとして記憶される。
上記所定の基準とは、特に限定されるものではないが、後述するように、たとえば、取得したＩＰアドレスに、１を加算したものを新たなＩＰアドレスとしてもよい。
また、ＩＣカード２から読み出されたＩＰアドレスそのものを端末ＴＥ１に設定した場合は、設定送信部１０３によるＩＣカード２への送信は行わなくてもよい。
【００３５】
＜ＩＣカードの構成＞
外部記憶媒体であるＩＣカード２は、現在用いられているＩＣ定期券や、ＩＣクレジットカードと同等の構成を有するカードであり、ＩＣカード２を端末ＴＥ１から一定距離内に接近させたり、端末ＴＥ１に接触させることにより、端末ＴＥ１との間で無線通信を行うものである。
図１に示すように、ＩＣカード２は、主として、制御部２１、通信部２２、記憶部２３とを備える。
通信部２２は、端末ＴＥ１の通信部１４と無線通信を行う部分であり、端末ＴＥ１の通信部１４と同等の通信機能を有するものである。
【００３６】
記憶部２３は、端末に記憶されるべき設定情報等を予め記憶する部分であり、上記した第２記憶部に相当し、ＲＯＭ、ＲＡＭ、フラッシュメモリなどが用いられる。
この発明では、特に、フラッシュメモリなどの不揮発性の半導体メモリを用いることが好ましく、端末の設定情報２０１と端末情報（ＴＥ情報）２０２とが書きかえ可能であって消去されることがないように記憶される。
設定情報２０１は、ＩＣカード２に予め記憶されている情報であり、上記したように、図２に示すような情報である。ここには、少なくとも端末のＩＰアドレスが含まれる。
【００３７】
端末情報（ＴＥ情報）２０２は、端末ＴＥ１から送信されてきた情報（ＵＵＩＤ、ＩＰアドレス）を登録したものであり、たとえば、図３に示すように、ＩＰアドレス２０３と、端末番号ＵＵＩＤ２０４とを対にして記憶した情報である。
ＩＣカード２に、設定を行う端末ＴＥ１の端末番号（ＵＵＩＤ）とＩＰアドレスとが対応づけられた端末情報２０２が記憶されている場合、端末ＴＥ１の情報取得部１０２は、ＩＣカード２から、そのＩＣカードに記憶されている端末情報（ＵＵＩＤ、ＩＰアドレス）２０２を取得して、取得した端末情報２０２に含まれるＩＰアドレスを、その端末ＴＥ１の記憶部１５の設定情報１１１の１つとして、記憶する。
【００３８】
図４に、ＩＣカードの記憶部２３に記憶される情報の一実施例の説明図を示す。
ここで、記憶部２３には、設定情報２０１と、端末情報（ＴＥ情報）２０２とが記憶されていることを示しているが、どちらもｎ個（ｎ≧１）の端末ＴＥに関する情報を記憶している。
すなわち、ｎ個の端末ごとに、それぞれの端末用の設定情報２０１（ＴＥ−ａ，ＴＥ−ｂ，…ＴＥ−ｎ）が記憶され、ｎ個の端末ごとに設定された端末番号（ＵＵＩＤ）２０４とＩＰアドレス２０３とを一対とした端末情報２０２が記憶されている。
設定情報２０１は、予めこのＩＣカード２の中に記憶される。
設定情報２０１のＩＣカードへの記憶処理は、ＩＣカード２を直接接続することができるインタフェース（コネクタ）を備えた専用の書込装置やパソコンを用いて行えばよい。
この書込装置やパソコンでは、端末の情報を管理している担当部署や業者によって、端末の設定情報が入力され、入力された設定情報２０１がＩＣカード２の記憶部２３に書き込まれる。
【００３９】
ＩＣカードの制御部２１は、ＩＣカードの各種機能を実行させる部分であり、端末ＴＥ１からの要求により、記憶部２３に記憶されていたその端末の設定情報２０１を送信する部分でもある。制御部２１は、端末ＴＥの制御部１１と同様に、ＣＰＵ、ＲＯＭ、ＲＡＭ、Ｉ／Ｏコントローラ、タイマー等からなるマイクロコンピュータにより実現できる。
ＣＰＵが、ＲＯＭ等に記憶されたプログラムに基づいて各種ハードウェアを動作させることにより、設定情報２０１の読み出しと端末への送信、端末情報２０２の受信と記憶などを行う。
【００４０】
＜設定情報の設定操作＞
図５に、この発明の端末における設定情報の設定操作の一実施例の説明図を示す。
図５（ａ）において、携帯端末ＴＥ−ａに、すでに設定情報ａ１が記憶されており、ＩＣカード２には、この端末ＴＥ−ａ用の新しい設定情報ａ２が記憶されているものとする。
この状態で、端末ＴＥ−ａとＩＣカード２とが、所定距離以上離れている場合には、両者の間に無線通信が成立しないものとする。
端末ＴＥ−ａの電源が投入され起動された場合、端末ＴＥ−ａのカード検出部１０１は、通信部１４を介して、ＩＣカード２を検出するために、検出確認のための電波を一定時間間隔で送出する。しかし、図５（ａ）のように端末ＴＥ−ａとＩＣカード２とが所定距離以上離れている場合には、無線通信が成立しないため、端末ＴＥ−ａの設定情報ａ１は書き替えられない。
【００４１】
次に、図５（ｂ）において、端末ＴＥ−ａの許可フラグ１１２が「有効（ＯＮ）」に設定されているものとする。
この状態で、利用者が、ＩＣカード２を端末ＴＥ−ａに接近させた場合、あるいは端末ＴＥ−ａの表面にタッチ操作をした場合、端末ＴＥ−ａとＩＣカード２との間で無線通信が成立する。
このとき、ＩＣカード２に予め記憶されていたＴＥ−ａ用の新しい設定情報ａ２が読み出され、端末ＴＥ−ａに送信される。
端末ＴＥ−ａの許可フラグ１１２が有効となっているので、端末ＴＥ−ａの情報取得部１０２は、ＩＣカード２から送信されてきた設定情報ａ２を取得し、記憶部１５に記憶する。これにより、この端末ＴＥ−ａの設定情報がａ１からａ２へ変更される。
【００４２】
図５（ｂ）のように、利用者は、端末ＴＥ−ａの許可フラグ１１２を「有効」に設定し、ＩＣカード２を端末ＴＥ−ａに接近又はタッチさせる操作をするだけで、端末ＴＥ−ａの設定情報が更新できる。
また、端末ＴＥ−ａに設定情報がまだ記憶されていない場合は、同様の操作によって、端末ＴＥ−ａの設定情報が初期設定される。したがって、利用者は、容易な設定操作をするだけで、端末の設定情報を設定することができ、設定情報の各項目の設定値を１つずつ入力する必要もないので、設定にかかる時間を短縮でき、入力ミスも防止できる。また、入力ミスがないので、入力ミスによって生じていたネットワーク接続障害などの動作不良も防止できる。
【００４３】
図５（ｃ）において、端末ＴＥ−ａの許可フラグ１１２が「無効（ＯＦＦ）」に設定されているものとする。
この状態で、図５（ｂ）と同様に、ＩＣカード２を端末ＴＥ−ａに接近またはタッチさせる操作をした場合、端末ＴＥ−ａとＩＣカード２との間で無線通信が成立して、ＴＥ−ａ用の新たな設定情報ａ２が、ＩＣカード２から端末ＴＥ−ａに送信される。
しかし、端末ＴＥ−ａの許可フラグ１１２が無効に設定されているので、情報取得部１０２は、受信した設定情報ａ２を取得せず、記憶部１５の設定情報１１１を変更しない。
すなわち、端末ＴＥ−ａの許可フラグ１１２が無効に設定されている場合は、利用者がＩＣカード２を端末ＴＥ−ａに接近またはタッチさせる操作をしたとしても、端末ＴＥ−ａの設定情報ａ１は書きかえられない。
【００４４】
したがって、端末ＴＥ−ａの許可フラグ１１２を無効に設定しておけば、利用者の不注意等によって、誤って、ＩＣカード２を端末ＴＥ−ａに接近させる操作をしたとしても、端末ＴＥ−ａの設定情報が意図しない情報に変更されてしまうことを防止できる。
【００４５】
＜端末における設定処理＞
図６に、この発明の端末ＴＥにおける設定処理の一実施例のフローチャートを示す。
ここでは、主として、カード検出部１０１によるＩＣカードの検出確認と、ＩＣカード検出後、情報取得部１０２による設定情報の取得および記憶処理と、ＩＰアドレスの設定変更処理と、新たなＩＰアドレスが設定された場合の設定送信部１０３による端末情報の送信処理が含まれる。
【００４６】
図６のステップＳ１において、端末ＴＥのカード検出部１０１が、ＩＣカード検出処理を行う。ここでは、上記したように、たとえば、一定時間（たとえば、２秒）ごとに、通信部１４から、検出確認信号を意味する電波を送出する。
また、この電波の送出後、カード検出部１０１は、ＩＣカード２から確認応答情報が返信されてくるのをチェックする。
ＩＣカード２が端末ＴＥとの間で無線通信が成立するところにある場合は、ＩＣカード２の通信部２２は、この電波を受信する。
ＩＣカード２の制御部２１が受信した電波を解析し、検出確認を意味するものであると判断した場合は、これに対する確認応答情報を意味する電波を送出する。
一方、ＩＣカード２と端末ＴＥとが所定距離以上離れている場合は、無線通信が成立しないので、上記のような確認応答は送出されない。
【００４７】
ステップＳ２において、カード検出部１０１が、ＩＣカード２が検出されたか否かを、チェックする。
上記したような確認応答情報が受信された場合は、ＩＣカード２が検出されたと判断し、ステップＳ３へ進む。
確認応答情報が受信されない場合は、ステップＳ１へ戻り、検出処理を繰り返す。
【００４８】
また、ＩＣカード２には、この発明の設定情報を設定するために設定情報を記憶した設定用のＩＣカードの他に、他の用途のＩＣカードが存在する場合もある。
たとえば、使用者が端末を使用する際に使用する認証カードや端末の使用箇所変更に伴うＩＰアドレス等の情報を初期化するメンテナンスカードのようなＩＣカードも存在する。
したがって、多数の種類のＩＣカードが存在する場合は、ＩＣカードから送信される確認応答情報の中に、そのＩＣカードの種別を含めるようにしてもよい。たとえば、ＩＣカードが設定情報の設定用のＩＣカードである場合には、ＩＣカードが「設定用」であることを示す種別情報を、確認応答情報の中に含める。
【００４９】
ステップＳ３において、検出されたＩＣカードが、設定用のＩＣカードであるか否かを判断する。
ここでは、上記したように、確認応答の中の種別情報をチェックして、種別情報が「設定用」を意味する情報であるかどうかを判断する。
設定用のＩＣカードであると判断された場合、ステップＳ５へ進み、設定用のＩＣカードでないと判断された場合は、ステップＳ４へ進む。
ステップＳ４において、検出されたＩＣカードは設定用でないので、予め定められたその他のカード特有の処理を実行する。
たとえば、メンテナンスのＩＣカードの場合は、端末の初期化を実行する。この特有の処理を実行した後、図示したように処理を終了するか、あるいはステップＳ１へ戻る。
【００５０】
ステップＳ５において、情報取得部１０２が、許可フラグ１１２が「有効」に設定されているか否かをチェックする。
「有効」にセットされている場合は、ステップＳ６へ進み、そうでない場合は、処理を終了するか、あるいはステップＳ１へ戻る。これにより、許可フラグ１１２が有効でない場合は、ＩＣカードを検出しても、設定情報を変更しないようにする。
【００５１】
ステップＳ６において、情報取得部１０２が、ＩＣカード２から、自己の端末ＴＥ用の設定情報を取得する処理を行う。
【００５２】
この設定情報を取得するための読出要求を受信したＩＣカード２では、ＩＣカードの制御部２１が、受信した読出要求に応じて端末に設定する設定項目を返信する。
【００５３】
ステップＳ６において取得された設定情報は、ステップＳ７以降の処理のために、記憶部１５に一時保存される。取得される項目は、端末に関係なく設定されるＵＲＬ等の共通情報項目と、端末毎に設定されるＩＰアドレス等の個別情報項目から構成される。
ステップＳ７において、取得した設定情報の中から、１つずつ順番に、設定項目ごとに読み出す。
ステップＳ８において、現在読み出した設定項目が、個別情報項目であるＩＰアドレスか否かをチェックする。
読み出した設定項目がＩＰアドレスであった場合は、ステップＳ１０へ進み、そうでない場合は、ステップＳ９へ進む。
ステップＳ９において、読み出した設定項目を、記憶部１５の設定情報１１１の中の対応する設定項目に書き込む。
記憶部１５にその設定項目がすでに設定されていた場合も、読み出した設定項目の値に変更する（上書きする）。
【００５４】
その後、ステップＳ２０へ進む。
ステップＳ２０において、取得した設定情報の中のすべての設定項目を読み出したか否かをチェックし、まだ読み出していない設定項目がある場合は、ステップＳ７へ戻り、次の設定項目を読み出す。
一方、すべての設定項目の読み出しが終了した場合は、図示したように処理を終了するか、あるいはステップＳ１へ戻る。
【００５５】
ステップＳ１０において、ＩＣカード２に対して、自己の端末番号（ＵＵＩＤ）を含めた問合せ要求を送信する。
この問合せ要求は、ＩＣカード２の端末情報（ＴＥ情報）２０２の中に、すでに、自己の端末番号（ＵＵＩＤ）に対応するＩＰアドレスが登録されていないかどうかを問い合わせるためのものである。
ステップＳ１２において、自己のＵＵＩＤに対応するＩＰアドレスが、ＩＣカード２の中にすでに登録されている場合は、ステップＳ１３にて、その登録されたＩＰアドレスをＩＣカードの記憶部より取得し、ステップＳ１４にて、設定情報１１１の１つとして記憶する。その後、ステップＳ２０へ進む。
このように、すでに登録されたＩＰアドレスを使用するのは、１つの無線ＬＡＮのネットワーク上で、複数の端末ＴＥに、同一のＩＰアドレスを重複して設定されるのを防止するためである。
【００５６】
ＩＣカード２では、この問合せ要求を受信すると、問合せ要求に含まれる端末番号（ＵＵＩＤ）と一致するＵＵＩＤを有する端末情報２０２が、記憶部２３の中にないかチェックする。
受信したＵＵＩＤと一致するＵＵＩＤ２０４が端末情報２０２に存在する場合は、存在することを示す存在応答情報を、端末ＴＥへ送信する。
この存在応答情報には、そのＵＵＩＤ２０４に対応づけられて記憶されていたＩＰアドレス２０３を含める。
一方、受信したＵＵＩＤと一致するＵＵＩＤ２０４が、ＩＣカードの端末情報２０２の中に存在しない場合は、存在しないことを示す不存在応答情報を、端末ＴＥへ送信する。不存在応答は、問合せ要求のあったＵＵＩＤに対応するＩＰアドレスが、ＩＣカードには登録されていないことを示すものである。
上記のように、ステップＳ１２において、存在応答を受信して、ＩＣカードに、端末番号ＵＵＩＤが存在すると判断した場合は、ステップＳ１３へ進み、そうでない場合はステップＳ１５へ進む。
【００５７】
ステップＳ１２において、不存在応答を受信して、ＩＣカードに、端末番号ＵＵＩＤが存在しないと判断した場合、ステップＳ１５へ進む。
ステップＳ１５において、最後に書き込まれたＩＰアドレスをＩＣカードから取得する。
ここで、最後の書き込まれたＩＰアドレスとは、ＩＣカードを用いて付与されたＩＰアドレスを意味し、他の端末によりＩＰアドレスとして使用されたＩＰアドレスである。
【００５８】
ステップＳ１６において、取得したＩＰアドレスに、１を加算する。
たとえば、取得したＩＰアドレスが、図２に示すような「192.168.1.111」であったとすると、右側の下位ビットの数字（１１１）に、１を加算した「192.168.1.112」を、ＩＰアドレスとする。
ここで、ＩＰアドレスに、１を加算するのは、過去に使用してきたＩＰアドレスとの重複を避けるためである。
【００５９】
ステップＳ１７において、１を加算した後のＩＰアドレスが、規格で定められた範囲内であるかどうかをチェックする。
たとえば、４組の数字列のそれぞれは、０から２５５までの数字である必要があるが、これ以外の数字、例えば２５６となっている場合は、規格の範囲外と判断する。
ただし、規格の範囲内かどうかの判断は、これに限るものではない。
【００６０】
ステップＳ１７において、ＩＰアドレスが範囲内の場合は、ステップＳ１８へ進み、範囲外の場合はステップＳ２１へ進む。
ステップＳ２１において、１を加算した後のＩＰアドレスは規格外のものなので、誤ったＩＰアドレスが設定されようとしていることを示すエラー表示をする。
ステップＳ２１の後、ステップＳ７へ戻る。
【００６１】
一方、ＩＰアドレスが範囲内のものである場合、ステップＳ１８において、そのＩＰアドレスを、端末ＴＥの設定情報１１１の１つとして、記憶部１５に記憶する。
ステップＳ１９において、自己の端末番号ＵＵＩＤと、ステップＳ１８で記憶したＩＰアドレスとからなる端末情報（ＴＥ情報）を、ＩＣカードに送信する。
ＩＣカード２は、この端末情報を受信すると、記憶部２３に端末情報２０２として登録する。
すなわち、ＩＣカード２には、自己の端末番号ＵＵＩＤと記憶したＩＰアドレスとからなる端末情報（ＴＥ情報）をＩＣカードに送信し、ＩＣカードの記憶部２３の中に、新たに、端末情報２０２として登録する。
【００６２】
ここでＩＣカードに登録された端末情報（ＵＵＩＤ、ＩＰアドレス）２０２は、同じ端末ＴＥの設定情報に対する次回の更新時に利用される。
ステップＳ１９の後、ステップＳ２０へ進み、すべての設定情報が読み出されたか否かのチェックをして、全設定情報の読出が終了した場合は、処理を終了する。
以上の処理により、端末ＴＥに、新たな設定情報の設定か、あるいは、設定情報の変更が行われる。
以上が、この発明の端末の設定情報の設定処理の一実施例の説明である。
【符号の説明】
【００６３】
１  携帯端末（ＴＥ）
２  ＩＣカード（ＣＡ）
１１  制御部
１２  表示部
１３  入力部
１４  通信部
１５  記憶部
２１  制御部
２２  通信部
２３  記憶部
１０１  カード検出部
１０２  情報取得部
１０３  設定送信部
１１１  設定情報
１１２  許可フラグ
１１３  端末番号（ＵＵＩＤ）
２０１  設定情報
２０２  端末情報（ＴＥ情報）
２０３  ＩＰアドレス
２０４  端末番号（ＵＵＩＤ）
【図１】
0005789526.tif 000002
【図２】
0005789526.tif 000003
【図３】
0005789526.tif 000004
【図４】
0005789526.tif 000005
【図５】
0005789526.tif 000006
【図６】
0005789526.tif 000007